(57)【要約】【課題】小型化を図れるネットワークカメラを提供する。【解決手段】レンズ装置２２を介して撮影した映像を個体撮像素子２６により電気信号に変換するカメラユニット２０と、平板状に構成されると共に、カメラユニット２０に接続されて電気信号を無線により送信する無線通信装置３０と、カメラユニット２０及び無線通信装置３０を収納する筐体１０と、を備え、カメラユニット２０のレンズ装置２２は、少なくとも一部が筺体１０から露出するように配置され、平板状の無線通信装置３０は、カメラユニット２０の背面２０Ａと、背面２０Ａに対向する筐体１０の内壁の双方に近接して配置されるネットワークカメラ１とした。【選択図】図１
2010074630.tif 000002
【特許請求の範囲】
【請求項１】
レンズ装置を介して撮影した映像を個体撮像素子により電気信号に変換するカメラユニットと、
平板状に構成されると共に、前記カメラユニットに接続されて前記電気信号を無線により送信する無線通信装置と、
前記カメラユニット及び前記無線通信装置を収納する筐体と、
を備え、
前記カメラユニットの前記レンズ装置は、少なくとも一部が前記筺体から露出するように配置され、
平板状の前記無線通信装置は、前記カメラユニットの背面と、前記背面に対向する前記筐体の内壁の双方に近接して配置されることを特徴とする、ネットワークカメラ。
【請求項２】
前記無線通信装置は、データ通信カードと、該データ通信カードが装着されるスロットを有し、前記データ通信カードを介して前記電気信号を無線により送信するモバイルルータと、を備え、
前記筺体は、前記レンズ装置が露出する面を正面とした場合の側面に、前記スロットを臨む開口部が形成され、
前記開口部には、前記開口部を閉じる蓋部材が設置されていることを特徴とする、
請求項１に記載のネットワークカメラ。
【請求項３】
前記開口部の周囲又は前記蓋部材のいずれかには、防水部材が設けられていることを特徴とする、
請求項２に記載のネットワークカメラ。
【請求項４】
前記蓋部材は、前記筺体から外側に突出した形状となることで、前記蓋部材の前記開口部側に拡張空間が形成され、
前記モバイルルータの装着される前記データ通信カードの一部が前記開口部から突出して、前記拡張空間に収容されることを特徴とする、
請求項２又は３に記載のネットワークカメラ。
【請求項５】
前記筐体には、吸気口及び排気口が形成され、
前記筺体の内部の前記吸気口近傍には、自身の吸気側が前記吸気口方向に向く状態でファン装置が配設され、
前記ファン装置の前記吸気側と前記吸気口との間に、吸気側フィルターが設けられるとともに、
前記排気口の前記筐体側に、排気側フィルターが設けられ、
前記ファン装置は、前記吸気側フィルターを介して前記筺体外部の空気を該筐体内部に導入するとともに、前記筐体内部の空気を前記排気側フィルターを介して前記筺体外部に排出することを特徴とする、
請求項１乃至４のいずれか１項に記載のネットワークカメラ。
【請求項６】
前記カメラユニット及び前記無線通信装置に電源を供給する電源装置を更に備え、
前記電源装置は、前記筺体内における前記カメラユニット及び前記無線通信装置の少なくとも一方の下側に配置されることを特徴とする、
請求項１乃至５のいずれか１項に記載のネットワークカメラ。
【請求項７】
前記筺体は、外面に取手部が更に設けられていることを特徴とする、
請求項１乃至６のいずれか１項に記載のネットワークカメラ。
【請求項８】
前記筐体を外部に固定するカメラ固定金具を更に備え、
前記カメラ固定金具は、前記筐体が取り付けられる取付面と、外部に固定される固定面と、を備え、
前記カメラ固定金具は、前記固定面が固定フレームに固定された場合、前記取付面に取り付けられた前記筐体の前記レンズ装置が被写体方向に向くように、構成されていることを特徴とする、
請求項１乃至７のいずれか１項に記載のネットワークカメラ。
【請求項９】
前記筺体を外部に固定するカメラ固定金具を更に備え、
前記カメラ固定金具は、前記筺体の底面側に配置されて前記筺体を取り付ける取付面と、前記筺体の背面側に配置されて前記取付面から立設され、前記筺体の裏面と対向するように設けられる背面と、該背面の上端近傍で前記筺体の正面側に屈曲して形成される天井面とを備えて形成されることを特徴とする、
請求項１乃至８のいずれか１項に記載のネットワークカメラ。
【発明の詳細な説明】
【技術分野】
【０００１】
本発明は、撮影した映像を無線によりネットワーク回線に接続して送信できるネットワークカメラに関する。
【背景技術】
【０００２】
従来、１つの筐体にカメラ及びルータを内蔵し、ルータによってＬＡＮを介してインターネットに接続され、離れた場所にあるパソコンや携帯電話にカメラで撮影した映像を送信するネットワークカメラが開発され、販売されている。
【発明の開示】
【発明が解決しようとする課題】
【０００３】
しかしながら、従来のネットワークカメラは、有線のＬＡＮに接続しなければならないため、ＬＡＮ環境が整っている場所でなければ設定できない。従って、山や川等の自然を観察することは困難であるという問題があった。仮にこのネットワークカメラを無線通信環境で利用しようとすると、このネットワークカメラに対して、別途、無線装置を接続しなければならず、装置構成が大きくなってしまうという問題があった。
【０００４】
本発明は、斯かる実情に鑑み、小型化を図りながらも、無線通信環境で利用可能なネットワークカメラを提供することを目的とする。
【課題を解決するための手段】
【０００５】
本発明者の鋭意研究によって、上記目的は下記の手段によって達成される。
【０００６】
（１）本発明は、レンズ装置を介して撮影した映像を個体撮像素子により電気信号に変換するカメラユニットと、平板状に構成されると共に、前記カメラユニットに接続されて前記電気信号を無線により送信する無線通信装置と、前記カメラユニット及び前記無線通信装置を収納する筐体と、を備え、前記カメラユニットの前記レンズ装置は、少なくとも一部が前記筺体から露出するように配置され、平板状の前記無線通信装置は、前記カメラユニットの背面と、前記背面に対向する前記筐体の内壁の双方に近接して配置されることを特徴とする、ネットワークカメラである。
【０００７】
（２）本発明はまた、前記無線通信装置は、データ通信カードと、該データ通信カードが装着されるスロットを有し、前記データ通信カードを介して前記電気信号を無線により送信するモバイルルータと、を備え、前記筺体は、前記レンズ装置が露出する面を正面とした場合の側面に、前記スロットを臨む開口部が形成され、前記開口部には、前記開口部を閉じる蓋部材が設置されていることを特徴とする、（１）に記載のネットワークカメラである。
【０００８】
（３）本発明はまた、前記開口部の周囲又は前記蓋部材のいずれかには、防水部材が設けられていることを特徴とする、（２）に記載のネットワークカメラである。
【０００９】
（４）本発明はまた、前記蓋部材は、前記筺体から外側に突出した形状となることで、前記蓋部材の前記開口部側に拡張空間が形成され、前記モバイルルータの装着される前記データ通信カードの一部が前記開口部から突出して、前記拡張空間に収容されることを特徴とする、（２）又は（３）に記載のネットワークカメラである。
【００１０】
（５）本発明はまた、前記筐体には、吸気口及び排気口が形成され、前記筺体の内部の前記吸気口近傍には、自身の吸気側が前記吸気口方向に向く状態でファン装置が配設され、前記ファン装置の前記吸気側と前記吸気口との間に、吸気側フィルターが設けられるとともに、前記排気口の前記筐体側に、排気側フィルターが設けられ、前記ファン装置は、前記吸気側フィルターを介して前記筺体外部の空気を該筐体内部に導入するとともに、前記筐体内部の空気を前記排気側フィルターを介して前記筺体外部に排出することを特徴とする、（１）乃至（４）のいずれかに記載のネットワークカメラである。
【００１１】
（６）本発明はまた、前記カメラユニット及び前記無線通信装置に電源を供給する電源装置を更に備え、前記電源装置は、前記筺体内における前記カメラユニット及び前記無線通信装置の少なくとも一方の下側に配置されることを特徴とする、（１）乃至（５）のいずれかに記載のネットワークカメラである。
【００１２】
（７）本発明はまた、前記筺体は、外面に取手部が更に設けられていることを特徴とする、（１）乃至（６）のいずれかに記載のネットワークカメラである。
【００１３】
（８）本発明はまた、前記筐体を外部に固定するカメラ固定金具を更に備え、前記カメラ固定金具は、前記筐体が取り付けられる取付面と、外部に固定される固定面と、を備え、前記カメラ固定金具は、前記固定面が固定フレームに固定された場合、前記取付面に取り付けられた前記筐体の前記レンズ装置が被写体方向に向くように、構成されていることを特徴とする、（１）乃至（７）のいずれかに記載のネットワークカメラである。
【００１４】
（９）本発明はまた、前記筺体を外部に固定するカメラ固定金具を更に備え、前記カメラ固定金具は、前記筺体の底面側に配置されて前記筺体を取り付ける取付面と、前記筺体の背面側に配置されて前記取付面から立設され、前記筺体の裏面と対向するように設けられる背面と、該背面の上端近傍で前記筺体の正面側に屈曲して形成される天井面とを備えて形成されることを特徴とする、（１）乃至（８）のいずれかに記載のネットワークカメラである。
【発明の効果】
【００１５】
本発明によれば、小型化可能なネットワークカメラを提供できるという優れた効果を奏し得る。
【発明を実施するための最良の形態】
【００１６】
以下、本発明の実施の形態を添付図面を参照して説明する。
【００１７】
まず、図１を用いて、第１実施形態に係るネットワークカメラ１について説明する。図１（ａ）は、第１実施形態に係るネットワークカメラ１の正面図であり、同図（ｂ）は、同ネットワークカメラ１の右側面図であり、同図（ｃ）は、同ネットワークカメラ１の下面図であり、同図（ｄ）は、同ネットワークカメラ１の矢視Ｆ−Ｆ方向から見た断面図である。
【００１８】
ネットワークカメラ１は、筺体１０と、カメラユニット２０と、無線通信装置３０と、電源装置４０と、ファン５０と、吸気側フィルター６０と、排気側フィルター７０と、カメラ固定金具１００（図１では図示省略）を含んで構成されている。
【００１９】
筺体１０は、金属製または樹脂性の箱状部材である。具体的に筺体１０は六面体形状であり、正面（図１（ａ）の紙面手前）にカメラユニット係合部１２が形成され、右側面に開口部１４が形成されている（同図（ｄ）参照）。
【００２０】
カメラユニット係合部１２は、筺体１０の正面に明けられた開口であり、その開口によりカメラユニット２０（具体的には外筺２１）と係合する。なお、カメラユニット係合部１２は、開口周縁に防水部材８０が設けられている。したがって、カメラユニット係合部１２にカメラユニット２０が係合した場合、カメラユニット２０の外筺２１と防水部材８０が密着することによって、筺体１０内部への水等の液体の侵入を防ぐことができる。なお、防水部材８０は、耐候性の高い樹脂で成形されたＯリングやパッキンであることが好ましい。この結果、カメラユニット２０のレンズ２４は、カメラユニット係合部１２を介して筺体１０の外部に露出しており、これにより被写体を撮像することが可能となっている。
【００２１】
開口部１４は、筺体１０の右側面に明けられている。この開口部１４によって、ネットワークカメラ１の操作者は、筺体１０に装置された無線通信装置３０（詳細は後述）のデータ通信カード３２（詳細は後述）の抜き差しや、メモリ装置９５のメモリカード９６（詳細は後述）の抜き差しをすることができるようになっている。データ通信カード３２やメモリカード９６の一部は、この開口部１４から筺体１０の外部に突出する。
【００２２】
なお、開口部１４の外縁には、防水部材８２を配設するための溝部１６が形成されている。更に開口部１４の外側には、蓋部材９０が揺動（開閉）可能に設けられており、この蓋部材９０によって、開口部１４が開口又は閉口されるようになっている。蓋部材９０が閉じた場合、蓋部材９０の外縁は、防水部材８２と密着するようになっている。したがって、蓋部材９０が閉じられた場合には、水等の液体が筺体１０内部へ侵入するのを防止する。防水部材８２は、大きさなどを除いて、防水部材８０と材質や機能等は同じであるので、詳細な説明は省略する。蓋部材９０は、開口部１４を閉じた状態において、筺体１０から外側に突出した形状となっている。このようにすることで、蓋部材９０における開口部１４側、即ち蓋部材９０の内側には拡張空間９０Ａが形成される。この拡張空間９０Ａの存在によって、開口部１４からデータ通信カード３２の一部が突出しても、蓋部材９０と干渉することが回避される。
【００２３】
図１（ｃ）に示されるように、筐体１０の底面には、外側まで連通するように明けられた吸気口１０Ａと、排気口１０Ｂ及びカメラ固定金具１００（詳細は後述）と固定するためのねじ穴１０Ｃが形成されている。吸気口１０Ａ及び排気口１０Ｂは、例えば、本実施形態で示されるように、複数の孔が明けられて形成されていることが好ましいが、勿論、１つの孔が明けられて形成されていても良い。なお、本実施形態では、吸気口１０Ａは、筺体１０内の底面側に配置されるファン５０（詳細は後述）の下側に位置するように形成される。排気口１０Ｂも同様に筺体１０内の底面側に位置するように形成される。この排気口１０Ｂは、近傍に排気の邪魔になる部材・装置がないような位置に形成されていることが好ましい。
【００２４】
また、筺体１０の上面には、取手１８が設けられており、底面には、ゴム足１９が４つ設けられている。なお、詳細は後述するが、取手１８はネットワークカメラ１を持つために利用される。なお、取手１８は、無線通信装置３０と接続されて、ケース外部から表出しているアンテナとしての役割を果たすようにしても良い。この場合、取手１８は、鉄等の金属又は銅などの非鉄金属で形成されていることが好ましい。
【００２５】
カメラユニット２０は、レンズカバー２３と、レンズ２４と、個体撮像素子２６と、画像処理基板２７と、コネクタ２８とから構成されている。
【００２６】
レンズカバー２３は、透明な樹脂又はガラスで形成されたドーム型部材であり、雨風などからレンズ２４を保護するものである。
【００２７】
レンズ２４は、複数枚のレンズを組み合わせて構成されている、いわゆるカメラ用のレンズである。レンズ２４は、撮影範囲の光を集め、個体撮像素子２６の撮像面に集光させることができるように構成されている。
【００２８】
個体撮像素子２６は、ＣＣＤやＣＭＯＳなどが代表的であるが、光を電気信号に変換することができる素子であれば、これに限定されるものではない。
【００２９】
画像処理基板２７は、個体撮像素子２６で変換された電気信号を、無線通信装置３０によって送信できる形態にするように処理を行う。この処理とは、例えば、電気信号から画像情報を生成する処理（以下、画像処理基板２７で生成された電気信号を画像情報ということがある）、画像情報のノイズ除去処理や色調補正処理などである。
【００３０】
コネクタ２８は、カメラユニット２０と無線通信装置３０を電気的に接続し、画像処理基板２７で生成された画像情報を無線通信装置３０に伝達する。
【００３１】
なお、カメラユニット２０の背面２０Ａは、平面になっており、無線通信装置３０のカメラユニット２０側の平面３０Ａと密接することができるようになっている。
【００３２】
次に、無線通信装置３０は、データ通信カード３２と、そのデータ通信カード３２が挿入されることによって、無線によりインターネット等の公衆通信装置と接続することができるモバイルルータ３４とを含んで構成されている。
【００３３】
データ通信カード３２は、アンテナ３２ａを備えるとともに、モバイルルータ３４の電気信号送信部３６（詳細は後述）から受信した電気信号を、アンテナ３２ａによって離れた場所にある受信機に無線により送信することができる。
【００３４】
なお、このデータ通信カード３２は、モバイルルータ３４のカード取り出し口（スロット）３７に挿入されることによって駆動電源が供給される。
【００３５】
モバイルルータ３４は、データ通信カード３２用のスロット３７を備え、データ通信カード３２を介した無線通信によりインターネットやＬＡＮ等に接続することができる無線ルータである。なお、本実施形態では、モバイルルータ３４は、データ通信カード３２を挿入することにより、離れた場所にある受信機に接続できる構成としているが、これに限定されるものではなく、無線通信装置３０自身がアンテナなどを内蔵し、データ通信カード３２を用いることなく単体で無線通信を行えるものであっても良い。
【００３６】
モバイルルータ３４は、コネクタ３５と、電気信号送信部３６と、カード取り出し口（スロット）３７を備えて構成されている。コネクタ３５，電気信号送信部３６，カード取り出し口３７は、概平板状の筐体に中に納められている。つまり、モバイルルータ３４の少なくとも１面（カメラユニット２０側）は、平面３０Ａとなっている。この平面３０Ａがカメラユニット２０の背面２０Ａに近接させている。勿論、平面３０Ａとカメラユニット２０の背面２０Ａを面状態で密接させてもよい。また、モバイルルータ３４の平面３０Ａ反対側（背面側）の平面３０Ｂは、筺体１０の背面の内壁に近接されている。勿論、両者を密接させてもよい。このように、モバイルルータ３４の両平面３０Ａ、３０Ｂを、カメラユニット２０の背面２０Ａと筺体１０の背面内壁に接近させることで、極めて狭い内部空間にモバイルルータ３４を収容することが可能になる。
【００３７】
カメラユニット２０で生成された画像情報は、コネクタ３５から伝達され、モバイルルータ３４の電気信号送信部３６に伝送される。
【００３８】
電気信号送信部３６では、受信した画像情報を、カード取り出し口３７に差し込まれているデータ通信カード３２に伝送する。なお、電気信号送信部３６は、鉄等の金属又は銅等の非鉄金属で形成された取手１８と接続されていてもよく、ケース外部に表出している取手１８を高感度のアンテナとして利用するようにしてもよい。
【００３９】
カード取り出し口３７は、データ通信カード３２が差し込まれ、データ通信カード３２とモバイルルータ３４との間のデータ通信の為のインタフェースとして用いられる。またカード取り出し口３７は、データ通信カード３２に電圧の供給も行う。カード取り出し口３７は、蓋部材９０を開放した場合、筐体１０の開口部１４から表出する位置に設けられ、データ通信カード３２の抜き差しをすることができるようになっている。データ通信カード３２は、カード取り出し口３７に挿入された状態で、その一部が筺体１０から外側に突出するようになっており、蓋部材９０の拡張空間９０Ａ内に収容される。
【００４０】
電源装置４０は、上述したカメラユニット２０、無線通信装置３０、後で説明するファン５０，メモリ装置９５などに駆動電圧を供給する。この電源装置４０は、直流電圧を変換するＤＣ―ＤＣコンバータであり、例えば、外部電源（図示省略）から、電源ケーブル４２を介してＤＣ１００Ｖが入力された場合、ＤＣ１２Ｖ又はＤＣ５Ｖに変換して出力することができるものである。この電源装置４０は、排気口１０Ｂの上面に接近するように配置されている。
【００４１】
なお、入力電圧や出力電圧はこれに限定されないことは言うまでもなく、複数種類の出力電圧（例えば、ＤＣ５Ｖ、ＤＣ１２Ｖ、ＤＣ１００Ｖ）を同時に生成するようにしても好ましい。また、電源装置４０は、筐体１０の外部に設け、ケーブル４２により電源を供給するようにしても良い。また、供給側が交流電源の場合は、電源装置４０としてＡＣ−ＤＣコンバータを用いて、交流電源を直流に変換する。
【００４２】
ファン５０は、筐体１０内部を冷却するためのファンモータである。このファン５０の吸気側は、筐体１０に設けられた吸気口１０Ａに対向するように設けられている。したがって、ファン５０が回転することで、吸気口１０Ａを介して筐体１０の外側の空気を筐体１０内部に効率よく吸入することができる。なお、吸入した空気と入れ換えに、筐体１０内部の比較的温度が高い空気は、排気口１０Ｂから筐体１０の外側に排気される。
【００４３】
なお、ファン５０を使用する代わりに、電源装置４０、無線通信装置３０等の発熱源となる装置を筐体１０の内壁に密着させて、筐体１０を介して外部に発熱するようにしても好ましい。この際、筺体１０の外面側にヒートシンクを設けることを可能である。
【００４４】
吸気側フィルター６０は、吸気口１０Ａの上側、且つファン５０と筺体１０の吸気口１０Ａとの間に配置され、吸気口１０Ａを通して筐体１０内部へ水・塵・埃等の進入を防止するものである。この吸気側フィルター６０は、不織布などで形成されたフィルター部材である。吸気側フィルター６０は、複数の不織布を何層にも重ね、空気は通すことができるが、水などは通し難くなっている。複数の不織布は、同じ網目のものを複数重ねてもよく、網目の粗さが異なるものを任意の順番（例えば、吸気口１０Ａ側から、粗めのものから細かい目のものを順番に配置する）に重ねても良い。また、吸気側フィルター６０は、不織布の代わりに、細目の金網を用いてもよい。細目の金網は、単体で使用してもよく、不織布と合わせて使用し、不織布とファン５０の間に設けるようにしても好ましい。なお、吸気側フィルター６０や細目金網の表面に、撥水処理を行っても良いことは言うまでもない。
【００４５】
排気側フィルター７０は、排気口１０Ｂの上側、且つ排気口１０Ｂと電源装置４０との間に配置され、排気口１０Ｂを通して筐体１０内部へ水等の進入を防止するものである。なお、排気側フィルター７０は、材質、構造や機能などは吸気側フィルター６０と同様であるので、ここでは、詳細な説明は省略する。これにより、ファン５０によって吸い込まれた空気は、電源装置４０の近辺に沿って流れて排気口１０Ｂから排出されるので、電源装置４０の熱を内部に対流させることなく、外部に効率よく放出させることができる。なお、吸気口１０Ａ、排気口１０Ｂともに、筺体１０の底面側に形成されているので、雨水等が内部に侵入しにくいようになっている。
【００４６】
メモリ装置９５は、メモリカードの読み書きを行う装置である。メモリ装置９５は、メモリカード取り出し口９５ａを備え、このメモリカード取り出し口９５ａからメモリカード９６を抜き差しする。メモリカード取り出し口９５ａは、蓋部材９０を開放した場合、筐体１０の開口部１４から表出する位置に設けられ、データ通信カード３２と同様に、メモリカード９６の抜き差しをすることができるようになっている。メモリカード９６も、その一部が筺体１０から外部に突出するようになっており、蓋部材９０内の拡張空間９０Ａ内に収容される。このように、メモリカード９６やデータ通信カード３２を筺体１０より外側に突出させることで、筺体１０自体を極めてコンパクトに構成することが可能になる。また、蓋部材９０内に拡張空間９０Ａが形成されているので、筺体１０をコンパクトにしながらも、データ通信カード３２やメモリカード９６を、風雨や塵埃から隔離することが可能となる。
【００４７】
なお、メモリ装置９５は、カメラユニット２０の画像処理基板２７と接続され、カメラ２４で撮影した画像情報をメモリカード９６に直接保存することができるようになっている。
【００４８】
＜カメラ固定金具＞
【００４９】
次に、図２を用いてカメラ固定金具１００について説明する。同図（ａ）は、第１実施形態に係るカメラ固定金具１００の正面図であり、同図（ｂ）は、同カメラ固定金具１００の右側面図であり、同図（ｃ）は、同カメラ固定金具１００の下面図である。
【００５０】
カメラ固定金具１００は、筺体１０の底面側に配置されて筺体１０を取り付ける取付面１０２と、筺体１０の背面側に配置されて取付面１０２から立設され、筺体１０の裏面と対向するように設けられる背面１０４と、背面１０４の上端近傍で筺体１０の正面側に屈曲して形成される天井面１０６とを備えて構成される。
【００５１】
取付面１０２の中央近傍には、筺体１０のネジ穴１０Ｃに対応する位置に取付穴１０２ａが設けられている。筺体１０は、取付穴１０２ａを介して、取付面１０２の裏面から挿入されるボルト（図示省略）により締め付けられてカメラ固定金具１００に固定される（図３参照）。また、この取付面１０２における背面１０４側の中央には、支柱用切り欠き１０２ｂが形成されている。この支柱用切り欠き１０２ｂは、後述する背面１０４に支柱を固定する際に、その支柱と取付面１０２が干渉することを回避する為に設けられている。
【００５２】
背面１０４は、４つの長穴１０４ａが縦方向に設けられている。カメラ固定金具１００は、この長穴１０４ａを介して、背面１０４の裏面に配設される壁５００（詳細は後述）などにボルトによって固定される。
【００５３】
天井面１０６は、背面１０４に対して０度以上且つ９０度未満の角度で屈曲しており、より好ましくは、２０度以上且つ７０度未満の範囲に設定され、本実施形態では、約６０度となっている。天井面１０６には２つの固定穴１０６ａが設けられている。カメラ固定金具１００は、固定穴１０６ａを介して、ボルトなどにより天井面５１０に固定される。この天井面１０６における背面１０４側の中央にも、支柱との干渉を回避することが可能な支柱用切り欠き１０６ｂが形成されている。
【００５４】
なお、背面１０４の略中央には、取付面１０２から天井面１０６まで延在する角窓１０８が形成されている。この結果、角窓１０８は、天井面１０６側の支柱用切り欠き１０６ｂと、取付面１０２側の支柱用切り欠き１０２ｂと連続するようになっている。この角窓１０８が中央に存在することにより、背面１０４は、２つに分離された状態になっている。
【００５５】
また、取付面１０２から立設された２つの背面１０４の角窓１０８側縁には、一対の傾斜面１０５が設けられている。この傾斜面１０５は、２つの背面１０４の角窓１０８側縁近傍から筺体１０方向（正面方向）の内側に向かって約４５度の角度で傾斜して形成されている。傾斜面１０５には、背面１０４と同様に４つの長穴１０５ａが設けられている。これにより一対の傾斜面１０５は、上方視するとハの字状態になっており、パイプ等の支柱を受けるようになっている。
【００５６】
＜ネットワークカメラの固定方法＞
【００５７】
次に、ネットワークカメラ１の固定方法について説明する。
【００５８】
図４（ａ）は、ネットワークカメラ１を天井に取り付けた状態を示す側面図であり、同図（ｂ）は、ネットワークカメラ１を壁面に取り付けた状態を示す側面図であり、同図（ｃ）は、ネットワークカメラ１を支柱に取り付けた場合を示す側面図である。
【００５９】
まず、同図（ａ）に示されるように、ネットワークカメラ１を天井５００に取り付ける場合には、筺体１０を取り付けたカメラ固定金具１００の天井面１０６を天井５００に固定する。カメラ固定金具１００は、天井面１０６側からボルト６００などによって天井５００に固定される。
【００６０】
この場合、天井面１０６は、取付面１０２に対して屈曲しているため、矢印に示す被写体方向にカメラユニット２０（筺体１０の正面）を向けることができる。なお、本実施形態では、天井面１０６は、背面１０４に対して約６０度曲がっている例を示したが、これに限定されるものではない。背面１０４に対する天井面１０６の角度は、カメラ２４が被写体方向に向けられるように構成されていればよく、カメラ固定金具１００を固定する天井５００の角度などによって、０〜９０度の範囲で適宜変更することが好ましい。また、天井面１０６又は取付面１０２を個別の板状部材を用い、背面１０４に対して角度を調整できる角度調整装置（図示省略）を設けるようにしても好ましい。これによって、カメラ固定金具１００を固定する面の状態（角度など）によって、カメラ２４を被写体方向に向けることができる。
【００６１】
次に、同図（ｂ）に示されるように、ネットワークカメラ１を壁面５１０に取り付ける場合には、カメラ固定金具１００の背面１０４を壁面５１０に固定する。カメラ固定金具１００は、壁面５１０の裏面側から挿入されたボルト６００などにより、背面１０４に設けられた長穴１０４ａを介して壁面５１０に固定される。なお、本実施形態では、取付面１０２に対する背面１０４の角度は９０度に設定されているが、この角度を変えることによって、筺体１０正面（レンズ２４）を壁面５１０に対して傾斜させることができる。
【００６２】
次に、ネットワークカメラ１を支柱５２０などに固定する場合には、同図（ｃ）に示されるように、カメラ固定金具１００の２つの傾斜面１０５の間に支柱５２０が係合するように設置する。この場合、カメラ固定金具１００は、タイラップなどの帯状部材６１０を傾斜面１０５の長穴１０５ａを通して、支柱５２０に巻いて固定される。
【００６３】
したがって、ネットワークカメラ１は、カメラ固定金具１００によって、様々な態様の取付対象に固定することができる。
【００６４】
また、カメラ固定金具１００には、図５に示されるように、日よけカバー１２０を設けても好ましい。
【００６５】
日よけカバー１２０は、金属製又は耐候性の樹脂で成形されている。日よけカバー１２０は、筐体１０がカメラ固定金具１００に取り付けられた場合、少なくとも筐体１０の両側面の一部を覆うように形成されたカバー部１２２を備えている。この日よけカバー１２０は、ネジ１３０によって、カメラ固定金具１００の天井面１０６に固定されるようになっている。したがって、ネットワークカメラ１は、この日よけカバー１２０によって、雨や紫外線を防ぐことができる。なお、同図において、日よけカバー１２０を天井面１０６に取り付ける部分以外の形状、構造及び機能については、第１実施形態で説明したカメラ固定金具１００と略同じであるので、同一の番号を付し、詳細な説明は省略する。
【００６６】
本実施形態のネットワークカメラ１は、撮影した映像を電気信号に変換する個体撮像素子２６を備えるカメラユニット２０と、無線によりＬＡＮやインターネットに接続して電気信号を送信する無線通信装置３０と、カメラユニット２０及び無線通信装置３０を収納する筐体１０を備えている。更に、カメラユニット２０はレンズ装置２２を備え、そのレンズ装置２２の一部（本実施形態では、レンズカバー２３）は少なくとも筐体１０の正面から突出するように配置されている。また、無線通信装置３０は、少なくとも１面を平面３０Ａとする板状の装置とされている。したがって、無線通信装置３０の平面３０Ａは、カメラユニット２０（背面２０Ａ）と面状態で密接して装置させることができる。このようにして、筺体１０を可能な限りコンパクトに構成することで、ネットワークカメラ１を極めて小型化することが可能となる。
【００６７】
また、無線通信装置３０は、データ通信カード３２と、データ通信カード３２を挿入することで無線通信を行うことができるモバイルルータ３４とを備えるとともに、筐体１０は、レンズ装置２２が表出する面と連続する面（側面）に、蓋部材９０が開閉可能に設けられた開口部１４を備えている。更に、開口部１４の周囲には、溝部１６が形成され、その溝部１６には、防水部材８２が設けられているので、開口部１４に水が進入するのを防止することができる。
【００６８】
また、蓋部材９０の形状を、筺体１０から外側に拡張する拡張空間９０Ａを形成する構造とすることで、防水や防塵機能を確保しながらも、データ通信カード３２の一部を筺体１０から外側に突出させるようにしている。この結果、筺体１０内に不要な空間を確保する必要がなくなり、ネットワークカメラ１を更に小型化することが可能となっている。
【００６９】
また、筐体１０には、吸気口１０Ａ及び排気口１０Ｂが形成されるとともに、筐体１０内部の空気を冷却するファン５０が設けられている。また、ファン５０の吸気側は、吸気口１０Ａ方向に向けられ、ファン５０と吸気口１０Ａとの間には、吸気側フィルター６０が配置されるとともに、排気口１０Ｂの筐体１０側には、排気側フィルター７０が設けられている。したがって、ファン５０は、吸気側フィルター６０を介して筺体１０外部の空気を筐体１０内部に導入するとともに、筐体１０内部の空気を排気側フィルター７０を介して筺体１０外部に排出することができる。特に筺体１０の底部において、吸排気を行う構造であることから、風雨等による雨水の侵入を抑制することができる。
【００７０】
また、カメラユニット２０及び無線通信装置３０に電源を供給する電源装置４０を備え、電源装置４０は、カメラユニット２０及び無線通信装置３０の少なくとも一方の下側に密接して配置されている。したがって、カメラユニット２０と無線通信装置３０を効率的に配置することができる。
【００７１】
また、筐体１０は、外筺の上面に取手１８が設けられている。したがって、取手１８を把持することで、筐体１０を容易に搬送できる。
【００７２】
なお、この取手１８は、電気信号送信部３６の出力と電気的に接続することで、筐体１０の外部に露出する外部アンテナとして機能させることも可能である。
【００７３】
また、本実施形態のネットワークカメラ１は、筐体１０を天井５００などの固定フレームに固定するカメラ固定金具１００を更に備え、カメラ固定金具１００は、筐体１０が取り付けられる取付面１０２と、固定フレームに固定される固定面１０４とを備えている。また、カメラ固定金具１００は、固定面１０４が固定フレームに固定された場合、取付面１０２に取り付けられた筐体１０のレンズ装置２２が被写体方向に向くように構成されている。したがって、カメラ取付金具１００は、カメラ２４を常に被写体方向に向けておくことができる。
【００７４】
また、カメラ固定金具１００は、角度調整機構を更に備え、固定面１０４及び取付面１０２の少なくとも一方の面の角度を調整できるので、カメラ固定金具１００を壁面５１０などに取り付けた後でも、カメラ２４の方向を自在に変えることができる。
【００７５】
尚、本発明のネットワークカメラは、上記した実施の形態に限定されるものではなく、本発明の要旨を逸脱しない範囲内において種々変更を加え得ることは勿論である。
【産業上の利用可能性】
【００７６】
本発明は、複数種類の機器が１つの筐体に配置されている装置の分野で幅広く利用することができる。
【図面の簡単な説明】
【００７７】
【図１】（ａ）第１実施形態に係るネットワークカメラ１の正面図であり、（ｂ）同ネットワークカメラ１の右側面図であり、（ｃ）同ネットワークカメラ１の下面図であり、（ｄ）同ネットワークカメラ１の矢視Ｆ−Ｆ方向から見た断面図である。
【図２】（ａ）第１実施形態に係るカメラ固定金具１００の正面図であり、（ｂ）同カメラ固定金具１００の右側面図であり、（ｃ）同カメラ固定金具１００の下面図である。
【図３】（ａ）カメラ取付金具１００を取り付けた状態のネットワークカメラ１の正面図であり、（ｂ）カメラ取付金具１００を取り付けた状態のネットワークカメラ１の右側面図であり、（ｃ）カメラ取付金具１００を取り付けた状態のネットワークカメラ１の下面図である。
【図４】（ａ）ネットワークカメラ１を天井に取り付けた状態を示す側面図であり、（ｂ）ネットワークカメラ１を壁面に取り付けた状態を示す側面図であり、（ｃ）ネットワークカメラ１を支柱に取り付けた場合を示す側面図である。
【図５】（ａ）日よけカバー１２０を取り付けた状態のカメラ取付金具１００の正面図であり、（ｂ）日よけカバー１２０を取り付けた状態のカメラ取付金具１００の右側面図であり、（ｃ）日よけカバー１２０を取り付けた状態のカメラ取付金具１００の下面図である。
【符号の説明】
【００７８】
１      ネットワークカメラ
１０    筺体
２０    カメラユニット
３０    無線通信装置
４０    電源装置
５０    ファン装置
６０    吸気側フィルター
７０    排気側フィルター
１００  カメラ取付金具
【図１】
2010074630.tif 000003
【図２】
2010074630.tif 000004
【図３】
2010074630.tif 000005
【図４】
2010074630.tif 000006
【図５】
2010074630.tif 000007